(57)【特許請求の範囲】
【請求項１】
端壁(11)及び側壁(12)を備えた外装体(1)と、端壁(21)及び側壁(22)並びに底壁(23)を備えたトレー(2)とから成り、端壁(11,21)及び側壁(12,22)をそれぞれ対応させて、トレー(2)の外周に外装体(1)を嵌めた包装展示兼用箱において、外装体(1)には、端壁(11)の下端中央部に切目を入れて切取片(16)を設け、また切取片(16)の内部に下端から上方へ切目を入れて揺動片(17)を設け、トレー(2)には、端壁(21)と底壁(23)の稜部に突出する刃部(25)を形成しておき、商品包装に際し、揺動片(17)の下部となる先端側を内方向へ揺動させて、トレー(2)の端壁(21)の外面に当接させ、底壁(23)から切取片(16)の揺動片(17)の部分へかけてテープ(T)を貼り付けることにより、外装体(1)とトレー(2)とを固定し、商品展示に際し、切取片(16)を端壁(11)から切り取って、トレー(2)から外装体(1)を上方へ引き抜き、テープ(T)を刃部(25)で切断して、切取片(16)をトレー(2)から離脱させるようにしたことを特徴とする包装展示兼用箱。
【請求項２】
前記外装体(1)の周壁に切目を入れて係止片(18)を設け、係止片(18)の下部となる先端側を内方向へ揺動させると、トレー(2)の上端となる端縁が係止片(18)の先端に当接し、上下反転状態でトレー(2)が係止片(18)により支持されるようにしたことを特徴とする請求項１に記載の包装展示兼用箱。
【発明の詳細な説明】
【技術分野】
【０００１】
この発明は、商品の輸送及び店頭での展示に兼用できる箱に関するものである。
【背景技術】
【０００２】
従来、この種の包装展示兼用箱として、下記特許文献１には、トレーと外装体とを接着剤で貼り合わせて固定しておき、商品展示に際し、その接着部の周りを切目線沿いに切断して、トレーから外装体を上方へ引き抜き、商品をトレーから露出させて展示するものが記載されている。
【０００３】
ところが、この包装展示兼用箱では、トレーに外装体を被せる際、接着剤が他の部分に摺り広げられて、開封性に支障を来たすことがある。
【０００４】
一方、トレーの底壁から外側板の端壁下部へかけてテープを貼り付けることにより、トレーと外装体とを、テープにより簡便に固定しておき、商品展示時には、テープを剥がして、トレーから外装体を上方へ引き抜く包装展示兼用箱も多用されている。
【先行技術文献】
【特許文献】
【０００５】
【特許文献１】登録実用新案第３１５１３５５号公報
【発明の概要】
【発明が解決しようとする課題】
【０００６】
しかしながら、上記のようなテープ貼りによる包装展示兼用箱では、商品展示に際し、テープを剥がす作業に手間がかかるという問題がある。
【０００７】
また、商品包装時に、上下反転させた状態でテープを手作業により貼り付けようとすると、トレーが外装体に落ち込むことがあり、組立作業が難しいという問題がある。
【０００８】
そこで、この発明は、店頭での展示作業を簡単に行なうことができ、また、包装時の組立作業も手作業で簡単にできるようにすることを課題とする。
【課題を解決するための手段】
【０００９】
上記課題を解決するため、この発明は端壁及び側壁を備えた外装体と、端壁及び側壁並びに底壁を備えたトレーとから成り、端壁及び側壁をそれぞれ対応させて、トレーの外周に外装体を嵌めた包装展示兼用箱において、外装体には、端壁の下端中央部に切目を入れて切取片を設け、トレーには、端壁と底壁の稜部に突出する刃部を形成しておき、商品包装に際し、底壁から切取片へかけてテープを貼り付けることにより、外装体とトレーとを固定し、商品展示に際し、切取片を端壁から切り取って、トレーから外装体を上方へ引き抜き、テープを刃部で切断して、切取片をトレーから離脱させるようにしたのである。
【００１０】
また、前記切取片の内部に下端から上方へ切目を入れて揺動片を設け、揺動片の下部となる先端側を内方向へ揺動させて、トレーの端壁の外面に当接させ、テープを底壁から揺動片の部分へ貼り付けるようにしたのである。
【００１１】
さらに、前記外装体の周壁に切目を入れて係止片を設け、係止片の下部となる先端側を内方向へ揺動させると、トレーの上端となる端縁が係止片の先端に当接し、上下反転状態でトレーが係止片により支持されるようにしたのである。
【発明の効果】
【００１２】
この発明に係る包装展示兼用箱では、商品を展示する際、外装体の端壁から切取片を切り取るだけで、トレーと外装体とを分離して、トレーから外装体を上方へ引き抜き、商品をトレーから露出させて展示することができるので、店頭での展示作業を簡単に行なうことができる。
【００１３】
また、切取片の内部に設けた揺動片を揺動させてトレーの端壁の外面に当接させると、外装体とトレーの隙間を大きく確保して外装体の引き抜きを容易にしても、揺動片の部分では、外装体とトレーの隙間をなくすことができるので、テープが貼りやすくなる。
【００１４】
さらに、外装体の周壁に設けた係止片を揺動させて、上下反転状態でトレーが係止片により支持されるようにすると、トレーが外装体に落ち込むことがなく、テープを手作業により貼り付けて、包装時の組立作業を容易に行なうことができる。
【図面の簡単な説明】
【００１５】
【図１】この発明の実施形態に係る包装展示兼用箱の外装体のブランクを示す図
【図２】同上のトレーのブランクを示す図
【図３】同上の組立過程を示す分解斜視図
【図４】同上の上下反転した底貼り状態を示す斜視図
【図５】同上の上下正転させた開蓋状態を示す斜視図
【図６】同上の揺動片の部分を示す拡大斜視図
【図７】図６のVII−VII線に沿った拡大断面図
【図８】同上の包装展示兼用箱の包装状態を示す斜視図
【図９】同上の展示状態への変換過程を示す斜視図
【図１０】同上のトレーから外装体を引き抜いた状態を示す斜視図
【図１１】同上のテープ切断過程を示す拡大斜視図
【図１２】同上のトレーでの展示状態を示す斜視図
【発明を実施するための形態】
【００１６】
以下、この発明の実施形態を添付図面に基づいて説明する。
【００１７】
この包装展示兼用箱は、図１に示すＡ段等の厚手の段ボールを材料とする外装体１のブランクと、図２に示すＥ段等の薄手の段ボールを材料とするトレー２のブランクとから組み立てられる。
【００１８】
図１に示す外装体１のブランクでは、幅方向の端壁１１及び長さ方向の側壁１２が横方向に各一対交互に連設され、一方の側壁１２の外側に継代片１３が連設されている。端壁１１及び側壁１２の上端には、それぞれ蓋フラップ１４，１５が連設されている。
【００１９】
端壁１１の下端中央部には、門型に切目を入れて切取片１６が設けられ、切取片１６の内部には、下端から上方へ切目を入れて揺動片１７が設けられている。これらの端縁を形成する切目には繋部が設けられ、揺動片１７の上端には折目が入れられている。また、切取片１６の上縁に臨んで、端壁１１には指入穴１６ａが設けられている。
【００２０】
側壁１２の中間部には、上下反転した門型に切目を入れて係止片１８が設けられ、その端縁を形成する切目には、繋部が設けられている。
【００２１】
図２に示すトレー２のブランクでは、幅方向の端壁２１及び長さ方向の側壁２２が長方形状の底壁２３の周囲に各一対連設され、側壁２２の両側端には連結片２４が連設されている。側壁２２の両側部分には、折畳用の折目２２ａが底角部から先端縁まで斜め方向に入れられている。
【００２２】
端壁２１と底壁２３の稜部には、端壁２１を切り込んで刃部２５が形成され、刃部２５は、細かい波形状とされている。
【００２３】
いま、上記のようなブランクから手作業で包装展示兼用箱を組み立てるには、図３に示すように、外装体１のブランクにおいて、各一対の端壁１１及び側壁１２を角筒状に折り曲げ、継代片１３を反対側の端壁１１及び蓋フラップ１４の内面に貼り付けて、周壁を形成し、揺動片１７及び係止片１８を内側へ押し込む。
【００２４】
また、トレー２のブランクにおいて、底壁２３から各一対の端壁２１及び側壁２２を起立させ、連結片２４を隣り合う端壁２１の内面に貼り付ける。そして、外装体１にトレー２を上方から挿入する。
【００２５】
ここで、展示作業時におけるトレー２からの外装体１の引き抜きを容易にするため、トレー２は、外装体１よりも平面積が一回り小さくなっており、外装体１とトレー２の隙間は、大きく確保されている。
【００２６】
なお、この包装展示兼用箱を商品の包装を行う事業所へ配送して保管しておく際には、外装体１とトレー２とを分離した状態で、外装体１を、周壁の対角線上に位置する罫線に沿って扁平に折り畳み、トレー２を、折目２２ａに沿って扁平に折り畳んでおくと、嵩張ることがない。
【００２７】
上記のような包装展示兼用箱で商品を包装する際には、図４に示すように、外装体１にトレー２を挿入した状態で、上下反転する。このとき、トレー２は、側壁２２の先端縁が内方向へ揺動した係止片１８に当接して、係止片１８により支持されるので、外装体１の中で下降することがない。
【００２８】
次に、この上下反転状態で、底壁２３から両方の切取片１６へかけて、揺動片１７の部分を通るようにテープＴを貼り付ける。このとき、揺動片１７の部分では、その揺動に伴い、外装体１とトレー２の隙間がなくなるので、テープＴによる底貼りを行ないやすくなり、切取片１６の端縁を形成する切目の繋部が破断する現象も防止される。
【００２９】
そして、図５に示すように、上下正転させ、箱の内部に商品を収納する。このとき、底貼りした揺動片１７の部分は、図６及び図７に示すような状態となっている。
【００３０】
その後、図８に示すように、蓋フラップ１４，１５を順次重なり合うように内側へ折り曲げ、蓋フラップ１５の突合部から両方の端壁１１へかけて封緘用のテープＴを貼りつけると、商品の包装が完了する。
【００３１】
なお、包装機械を使用する場合には、封緘作業と同様、正転状態のままで外装体１とトレー２とをテープＴで固定する底貼りを行うことができる。
【００３２】
一方、上記のように包装した商品を小売店へ配送し、店頭で商品を展示する際には、指入穴１６ａに指を入れて、図９に示すように、切取片１６を外方向へ引き、切取片１６の端縁を形成する切目の繋部を破断させて、切取片１６を端壁１１から切り取る。
【００３３】
そして、図１０に示すように、トレー２から外装体１を上方へ引き抜くと、トレー２に収納された商品Ｇが整列した状態で現れる。
【００３４】
この状態で、切取片１６は、テープＴが貼り付いてトレー２に繋がったままとなるが、図１１に示すように、切取片１６の一端部を引き上げて、テープＴを刃部２５に沿って捻るように切断すると、切取片１６をトレー２から離脱させることができ、図１２に示すように、トレー２に載せた商品Ｇを見映えよく展示することができる。
【００３５】
なお、上記実施形態では、直方体状の包装展示兼用箱について例示したが、外装体１及びトレー２の周壁の上下方向の稜部に面取部分を有する包装展示兼用箱についても、同様の構成を適用できる。
【００３６】
また、外装体１の側壁１２に係止片１８を設けたものを例示したが、係止片１８は、端壁１１に設けてもよく、端壁１１及び側壁１２の双方に設けてもよい。
【００３７】
また、外装体１に蓋フラップ１４，１５を設けて、外装体１の天面を閉止するようにしたが、商品が野菜や果実等の場合には、蓋フラップ１４，１５を短いものとして、天面に開口部が形成されるようにしてもよく、蓋フラップ１４，１５を省略した外装体１に別体の蓋を被せるようにしてもよい。
【００３９】
そのほか、トレー２が薄手の段ボールから成るものを例示したが、トレー２は、板紙から成るものとしてもよい。
【符号の説明】
【００４０】
１  外装体
１１  端壁
１２  側壁
１３  継代片
１４，１５  蓋フラップ
１６  切取片
１６ａ  指入穴
１７  揺動片
１８  係止片
２  トレー
２１  端壁
２２  側壁
２２ａ  折目
２３  底壁
２４  連結片
２５  刃部
Ｔ  テープ
Ｇ  商品
【図１】
0005613007.tif 000002
【図２】
0005613007.tif 000003
【図３】
0005613007.tif 000004
【図４】
0005613007.tif 000005
【図５】
0005613007.tif 000006
【図６】
0005613007.tif 000007
【図７】
0005613007.tif 000008
【図８】
0005613007.tif 000009
【図９】
0005613007.tif 000010
【図１０】
0005613007.tif 000011
【図１１】
0005613007.tif 000012
【図１２】
0005613007.tif 000013